(57)【要約】【課題】簡単な製造方法で表示部を均一照明することを実現し、単色あるいは複数色の明るく美しい発光を呈し、照明効果が大きく、デザイン性豊かな時計を提供する。【解決手段】携帯時計の表示部たる文字板１の外周部に透明樹脂ダイアルリング３を載置する。近紫外線ＬＥＤ５を透明樹脂ダイアルリング３の切欠き部４に配置する。透明樹脂ダイアルリング３は外面を単純な光沢仕上げとし、内周面３ａ以外の上面３ｂ、外周面３ｃ、下面３ｄのいずれかに蛍光体塗料６を塗布する。この蛍光体塗料６は単色または複数色使用する。近紫外線ＬＥＤ５が点灯すると、切欠き部４から近紫外線がダイアルリング３に入射し、ダイアルリング３内を伝播する。この近紫外線により蛍光体塗料６が蛍光を発し、ダイアルリング内壁で反射、内周面３ａから屈折して携帯時計の上方へ抜けダイアルリング内周面３ａを輝かせるので、文字板１や、時分針などが暗闇でも視認可能となる。【選択図】    図１
2004279098.tif 000002
【特許請求の範囲】
【請求項１】
表面を鏡面に仕上げ、上面、下面あるいは外周面の少なくとも一面に近紫外線光により励起し発光する蛍光体を塗布したダイアルリングと、
前記近紫外線光を発する光源と、を有し、
前記ダイアルリングは、その一部分を切り欠いた少なくとも１つの切欠き部を有し、
前記光源は、前記切欠き部に配置した時計。
【請求項２】
表面を鏡面に仕上げ、上面あるいは外周面の少なくとも一面に近紫外線光により励起し発光する蛍光体を塗布したダイアルリングと、
前記ダイアルリングを受ける文字板と、
前記近紫外線光を発する光源と、を備え、
前記ダイアルリングは、その一部分を切り欠いた少なくとも１つの切欠き部を有し、
前記文字板は、前記ダイアルリングの下面に相当する部分に前記蛍光体を塗布し、
前記光源は、前記切欠き部に配置した時計。
【請求項３】
前記文字板は、少なくとも上面または下面に前記蛍光体を塗布した透明樹脂である請求項２記載の時計。
【請求項４】
前記文字板の下面に蛍光体を塗布し、前記文字板にパターンを付加した請求項２記載の時計。
【請求項５】
前記ダイアルリングは、前記切欠き部と対応する内周部分に不透明な部材からなるパターンを配置した請求項２乃至４のいずれかに記載の時計。
【請求項６】
前記ダイアルリングの前記不透明な部材からなるパターンは、中抜きした中抜き形状部を有し、前記中抜き形状部に蛍光体を塗布する請求項５記載の時計。
【請求項７】
表面を鏡面に仕上げ、上面、下面あるいは外周面の少なくとも一面に、フィルムに近紫外線光により励起し発光する蛍光体を塗布したシート部材を配置したダイアルリングと、
前記近紫外線光を発する光源と、を有し、
前記ダイアルリングは、その一部分を切り欠いた少なくとも１つの切欠き部を有し、
前記光源は、前記切欠き部に配置した時計。
【請求項８】
前記ダイアルリングの前記上面、前記下面あるいは前記外周面のうち、少なくとも１面が他の面と異なる蛍光体を塗布する請求項１乃至７のいずれかに記載の時計。
【請求項９】
前記蛍光体は、蓄光性塗料である請求項１乃至８のいずれかに記載の時計。
【請求項１０】
前記ダイアルリングの前記内周面にパターンを形成した請求項１乃至９のいずれかに記載の時計。
【請求項１１】
前記パターンに蛍光体を塗布する請求項１０記載の時計。
【請求項１２】
前記ダイアルリングの一部に上下方向に貫通する貫通穴を設け、前記貫通穴の下方に蛍光体を有する請求項１乃至１１のいずれかに記載の時計。
【発明の詳細な説明】
【０００１】
【発明の属する技術分野】
本発明は、時計に関するものである。
【０００２】
【従来の技術】
従来の時計は、光を拡散する拡散層と光の漏洩を防止する反射膜とからなる遮蔽膜を、導光リングの発光面を除く外表面に形成し、その導光リング内にランプを配置する。拡散層はランプから遠ざかるにつれて、その面積を漸増させておく。
ランプが発した光は、導光リング内を通って文字板の周囲に導かれる。遮蔽膜により、ランプから遠ざかるにつれて光の乱反射量を増大させることができので、ランプから遠ざかる程、光の量を漸増することができる（特許文献１参照。）。
【０００３】
また、従来の時計は、ガイドはスペーサによりハウジング内に保持され、スペーサはガイドの外側表面と向き合っている壁の間に小さなエアギャップを形成する。この壁には鏡面が配置されていて、ガイドを逃げた光線を鏡面に反射させる。
【０００４】
両者に共通なのは、文字板の外周部上方に導光リングを配置し、その導光リングの切り欠部に照明素子を設置し、そこから発せられた光をリング内側方向に均一ならしめようとするものである。このような均一照明によって、携帯時計の文字板や針が暗い中でも視認可能となることは、携帯時計の使用環境を考慮すれば、きわめて重要なことである。
【０００５】
【特許文献１】
特開平７−２４８３８５号公報（段落番号００１４〜００１５、第１図）
【０００６】
【特許文献２】
特開平１０−２３２２８７（段落番号００２３〜００２４、第２図）
【０００７】
【発明が解決しようとする課題】
しかし、従来の時計及び照明装置では、均一な照明を実現するために、導光リング外周面に乱反射を目的とした細かな凹凸加工を施す必要があり、これらの凹凸加工の密度を照明素子から遠ざかるにつれて高くするか、単位面積あたりの発光量を維持するために、照明素子から遠いところで導光リング内周部面積を狭くするなど、決して簡単ではない方法がとられていた。また、一定の明るさにするため、導光リングの照明素子近くでは明るくなりすぎないようにし、照明素子の遠くまで明るさを保てるようにする必要から、全体として導光リングから発せられる光の明るさは暗くなり、表示部の照明による効果としては不充分であり、デザイン的な限界があった。
【０００８】
以上のような方法では複数色で照明しようとすれば、数色のＬＥＤを配置するなど、消費電流を最小限に抑えることが必要な携帯時計においては不利な条件を強いられる。このように従来の照明素子と装置による均一照明では、導光リングの設計、製造が難しく、にもかかわらず表示部の照明効果が不充分であり、デザイン的な要素が多く求められる携帯時計の場合は、明らかに限界があった。
【０００９】
本発明の目的は、従来の照明素子と装置による、むずかしい均一照明を得るための製造方法を単純化すること。そして、従来の技術では、照明効果が不充分だった点を克服し、明るく美しい発光色を呈し、照明効果が大きく、表現力豊かな携帯時計の表示部を提供することにある。
【００１０】
【課題を解決するための手段】
本発明の時計は、表面を鏡面に仕上げ、上面、下面あるいは外周面の少なくとも一面に近紫外線光により励起し発光する蛍光体を塗布したダイアルリングと、前記近紫外線光を発する光源と、を有し、前記ダイアルリングが、その一部分を切り欠いた少なくとも１つの切欠き部を有し、前記光源が前記切欠き部に配置する。
【００１１】
従来の技術では不可欠であったこのような乱反射加工は、導光リング中を伝播する光の一部を導光リング外に放出することになるため、遠くまで多くの光量を運ぶ妨げとなるが、当技術によれば、導光リングたるダイアルリングの外面は、すべて単純な光沢仕上げでよく、光が導光リング外へ放出することを最小限にでき、光路中でのロスが少ない。もちろん、蛍光体の塗布された面では、ダイアルリング内側に反射されず、ダイアルリング内壁を貫いて、塗布された蛍光体層へ放射されるが、この放射は、蛍光体を励起し、可視光となって乱反射し、再びダイアルリング内に戻ってくる。この蛍光を伴って戻ってくる光の発生こそ、単に光量のロスとしてダイアルリング外に光の一部を放出せざるを得なかった従来の技術と大きく異なる点である。すなわち従来の技術ではロスになっただけの光のダイアルリング外への放出が、本発明においては、全部がロスにならず、不可視であった近紫外線が効率的に可視光に変換され、再びダイアルリング中に戻ってくるのである。それは、ダイアルリングの外側に付加された蛍光体の働きによる。
【００１２】
光源は、近紫外線ランプでも近紫外線ＬＥＤ素子でも構わない。ダイアルリング中を近紫外線が伝播する経路での光量のロスが極めて少なく、かつ経路での蛍光発光ゲインが見込めるため、近紫外線ＬＥＤ素子１個でも、ダイアルリングの全体を均一に輝かせることが可能である。
【００１３】
本発明の時計は、表面を鏡面に仕上げ、上面あるいは外周面の少なくとも一面に近紫外線光により励起し発光する蛍光体を塗布したダイアルリングと、前記ダイアルリングを受ける文字板と、前記近紫外線光を発する光源と、を備え、前記ダイアルリングは、その一部分を切り欠いた少なくとも１つの切欠き部を有し、前記文字板は、前記ダイアルリングの下面に相当する部分に前記蛍光体を塗布し、前記光源は、前記切欠き部に配置する。
【００１４】
本発明の時計は、前記文字板が、少なくとも上面または下面に前記蛍光体を塗布した透明樹脂である。
【００１５】
本発明の時計は、前記文字板の下面に蛍光体を塗布し、前記文字板にパターンを付加する。
【００１６】
本発明の時計は、前記ダイアルリングが、前記切欠き部と対応する内周部分に不透明な部材からなるパターンを配置する。
【００１７】
本発明の時計は、前記ダイアルリングの前記不透明な部材からなるパターンが、中抜きした中抜き形状部を有し、前記中抜き形状部に蛍光体を塗布する。
【００１８】
本発明の時計は、表面を鏡面に仕上げ、上面、下面あるいは外周面の少なくとも一面に、フィルムに近紫外線光により励起し発光する蛍光体を塗布したシート部材を配置したダイアルリングと、前記近紫外線光を発する光源と、を有し、前記ダイアルリングは、その一部分を切り欠いた少なくとも１つの切欠き部を有し、前記光源は、前記切欠き部に配置する。
【００１９】
本発明においては、ダイアルリング全体を輝かせつつ、かつ時分目盛をダイアルリング内周面上に別の発光色蛍光体インキで印刷すれば、ダイアルリング内周の時分目盛も発光し、ツートーンに輝いた表示部（ダイアルリング）がたやすく実現できるのである。
【００２０】
本発明の時計は、前記ダイアルリングの前記上面、前記下面あるいは前記外周面のうち、少なくとも１面が他の面と異なる蛍光体を塗布する。
【００２１】
ダイアルリングに塗布する蛍光体について、発光色の異なる複数の種類を用いれば、ダイアルリングの内周面は、これら複数の発光色を呈し、外観はますます美しくなり、デザイン的要素としても大きな可能性をもたらしてくれる。
【００２２】
本発明の時計は、前記蛍光体が蓄光性塗料である。本発明において用いる蛍光体は、半透明の粉末素材である蛍光体を樹脂バインダーで固めたものであり、極めて効率的に蛍光を発生し、発生した蛍光の反射、拡散を効果的に行いうるものである。もちろん、蛍光体中に放射される以上、ダイアルリング中を伝播する近紫外線量は、光路内で減少せざるを得ない。しかしながら、この近紫外線の減少割合に比して、光路に沿って発生する蛍光の輝度が充分なこと、さらに光路上の蛍光体が塗布された面のすべての点で発生する可視光に、その点の前後の近傍で発生している可視光が加算されるため、なおさら、可視光の輝度の減少が抑制されるのである。このため、半径が１５ｍｍ程度のリングである携帯時計のダイアルリングの場合、ダイアルリング全体の可視光の明るさは、実用上ほぼ一定にできる。この蓄光性塗料をダイアルリングに塗布すれば、近紫外線ＬＥＤを点灯させ続けることなく、間歇的な点灯で照明効果が持続できる。
【００２３】
本発明の時計は、前記ダイアルリングの前記内周面にパターンを形成する。パターンは、時分などの目盛りや文字・数字などを印刷、表面仕上げ加工または成形により作成する。
【００２４】
本発明の時計は、前記パターンに蛍光体を塗布する。また、本発明の時計は、前記ダイアルリングの一部に上下方向に貫通する貫通穴を設け、前記貫通穴の下方に蛍光体を有するようにしてもよい。
【００２５】
【発明の実施の形態】
この発明の内容を図面に基づいて詳述する。
【００２６】
図１は表示照明装置を組み込んだ携帯時計の断面図である。この図にあるように、文字板１は、時計駆動部２に載置される。要素部品であるダイアルリング３は、文字板１の外周部に載置される。ダイアルリング３は、その一部に切欠き部４を設け、この位置に近紫外線ＬＥＤ５を設置する。ダイアルリング３の構成面には内斜面３ａ、上面３ｂ、外周面３ｃ、下面３ｄがある。このダイアルリング３の平面形状は丸形、長方形、楕円形等任意であり、上下面３ｂ、３ｄ、内外周面３ａ、３ｃは充分平滑な光沢面とする。ダイアルリング３の内周以外のいずれかの面に、蛍光体顔料を含んだ塗料を塗布する。この例では上面３ｂに蛍光体塗料６を塗布してある。蛍光体塗料の塗布の仕方は、透明樹脂ダイアルリング３の塗布面に対し、全面であっても部分的であってもよい。このようにして近紫外線ＬＥＤを点灯すると、透明樹脂ダイアルリング３の切欠き部４から近紫外線がダイアルリング内に入射し、ダイアルリング３に沿って伝播していく。この近紫外線がダイアルリング３の面に塗布された蛍光体塗料６に届くと、蛍光体は励起され蛍光を発する。その蛍光は蛍光体塗料内で乱反射し、再びダイアルリング内部に入射する。その後この光は、ダイアルリング内壁での反射を繰返し、ダイアルリング下面で反射したものの一部が、一定の傾きをもったダイアルリング内周面から時計の内側、文字板方向や、上方に放射される。特に上方に発せられた蛍光によって、ダイアルリング内周部分は蛍光色となって輝いて見えるようになる。これ以降は図面は、主として本発明の要部である文字板１及びダイアルリング３の状態を図示した図面であり、その部分を主に説明する。その他の部分は、図１で説明したものと同様である。
【００２７】
図２は本発明の実施例の斜視図である。まず照明される対象である文字板１があり、その外周部にダイアルリング３が載置されている。ここで用いる文字板１は、一般的な携帯時計の文字板でかまわない。一方ダイアルリング３は透明樹脂製とする。材料としてはアクリル、ポリカーボネート、ポリスチレンなどを用いる。このダイアルリング３は、後述するように、近紫外線の光路となるため、材料の透明樹脂には紫外線吸収剤などの充填は最小限にしておく。さらにダイアルリング３の一部に切欠き部４を設け、ここに近紫外線ＬＥＤ５を設置する。
【００２８】
近紫外線ＬＥＤ５としては、３ｍｍ角、厚さ１ｍｍ程度のチップタイプＬＥＤを用いる。また、近紫外線ＬＥＤ５の電気的・光学的特性は、直流順電圧３．５Ｖで光出力２．５ｍＷ、波長が３８０ｎｍ程度のものでよい。この近紫外線ＬＥＤ５のプラス側、マイナス側には、図１に示した時計駆動部２より、発光に必要な電圧を印加できるようにしておく。ダイアルリング３の上面３ｂには蛍光体塗料６を塗布してある。蛍光体塗料の顔料は、紫外線に対する耐久性のよい、白色半透明の外観を有する無機系のものを用いる。例えば緑系の蛍光を発するＢａＭｇ２Ａｌ１６Ｏ２７：Ｅｕ，Ｍｎの組成をもったものや、青系の蛍光を発するＢａＭｇＡｌ１０Ｏ１７：Ｅｕの組成をもったものなどがある。これらの蛍光体顔料は３５０ｎｍ以上４２０ｎｍ以下の近紫外線を含む光により高輝度な発光を呈する。１例として近紫外線の強さとの蛍光体顔料ＢａＭｇ２Ａｌ１６Ｏ２７：Ｅｕ，Ｍｎの発する蛍光の輝度の関係を図２０に示す。
【００２９】
次に、本実施例でダイアルリング３が照明装置として機能する様子を詳細に説明する。図３は、図２のＡ−Ａ’断面図である。この図において、近紫外線ＬＥＤ５が発光すると、そこから発せられた近紫外線は切欠き部４からダイアルリング３内に入射する。この紫外線はそのままダイアルリング３の上面３ｂに達し、そこに塗布された蛍光体塗料６を発光させる。蛍光体塗料６から発せられた光がダイアルリング中を進む様子を図４に示す。
【００３０】
図４は図２のＢ−Ｂ’断面で、この図のように、蛍光体塗料６から発せられた光は、ダイアルリング３内に入射し、ダイアルリング外周面３ｃで反射し下面３ｄで再反射し、内斜面３ａでダイアルリング３外に出て上方に向かって行く。この光を携帯時計の外から見ることが出来る。このような蛍光体塗料６からの光は、単に近紫外線ＬＥＤ５付近のみではなく、ダイアルリング３の全周にわたってみることが出来る。
【００３１】
これを説明したのが図５である。この図に見るように、近紫外線ＬＥＤ５からの紫外線はあらゆる方向に発せられるため、その一部が、光沢仕上げされたダイアルリング３の内壁で反射されながら、遠くまで伝播されるのである。遠くまで伝播した紫外線の一部が図４のダイアルリング上面３ｂに当たれば、そこから図４に見る蛍光の進路が発生し、近紫外線ＬＥＤ５から離れた位置でも、ダイアルリング３の内斜面３ａの輝きを携帯時計の外から見ることが出来るのである。このようにしてダイアルリング内斜面が輝けば、文字板１の外周から中心に向かう範囲が照明されることとなる。これにより、文字板１さらには時分針が暗闇でも視認可能となるのである。
【００３２】
次に、この照明装置の明るさ、均一性について説明する。本発明に使用するダイアルリング３の上面３ｂの面積を２ｃｍ２とする。蛍光体塗料６の塗布されているダイアルリング３の上面３ｂの面積２ｃｍ２に均等に先述の近紫外線ＬＥＤ５の光出力２．５ｍＷが当たると考えると、近紫外線の強度は１．２５ｍＷ／ｃｍ２となる。実際は近紫外線ＬＥＤ５の光のすべてがダイアルリング３の上面３ｂに照射されることはなく、近紫外線強度は、この値より低くなる。またダイアルリング３内を近紫外線が伝播するにつれて徐々に蛍光体塗料中に放射されるため、均一な強度で上面３ｂに近紫外線が照射されるわけではない。とはいえ、蛍光体塗料６として図２０に示したものを用いれば、少なく見ても数１０ｃｄ／ｍ２という携帯時計に対して充分な蛍光輝度が得られることになる。こうした発光がダイアルリング３の全体で蛍光体塗料６の無数の点で起きるため、たとえ近紫外線の線量が近紫外線ＬＥＤ５の近くと遠くで幾分か差があったにせよ、見た目には一定の輝きに見えるのである。
【００３３】
以上の説明では、蛍光体塗料６は近紫外線ＬＥＤ５で励起され発光するとしてきたが、蛍光体塗料には、一旦紫外線を照射されると、励起し、その後紫外線を照射しなくても、しばらくの時間蛍光を放ち続ける、いわゆる蓄光性のものがある。以上の実施例において、蛍光体塗料６を蓄光性塗料とすれば、近紫外線ＬＥＤ５をＯＮし、その後ＯＦＦしても、しばらくの間ダイアルリング３の内周部が輝き続けることができる。このような携帯時計は、電力消費を最小限にでき、電池寿命をいかに長く出来るかが重要な携帯時計においては極めて有効であることは言うまでもない。
【００３４】
また、蛍光体塗料の発光色調の異なるもの数種類を、本実施例の蛍光体塗料６の部分に適用することもできる。図６がそれである。この図のように、ダイアルリング３の上面３ｂをいくつかの領域に分け、発光色の異なる蛍光体塗料を塗布すれば、近紫外線ＬＥＤをＯＮしたとき、ダイアルリング内周部はいくつかの色に分かれて発光する。このようにした照明装置は極めて美しく、デザイン的な可能性を大きく広げてくれるものになる。
【００３５】
図７と図８は本発明の他の実施例の要部断面図である。図７は蛍光体塗料６をダイアルリング３の外周面３ｃに、図８では蛍光体塗料６をダイアルリング３の下面３ｄにそれぞれ塗布してある。いずれの場合も蛍光体塗料６から発せられた光は、図７のＬ１、図８のＬ２のようにダイアルリングの下面３ｄで反射したり、内周面で屈折しながらダイアルリング上方へ向かう。このことにより、ダイアルリング内周は明るく輝き、照明装置として機能するのである。
【００３６】
以上の実施例において、特筆すべきことは、照明の源泉である蛍光体塗料が携帯時計の外からは、直接的に見えないことである。本発明においては、近紫外線の照射が必要条件であるから、耐紫外線性に優れた無機系の蛍光体顔料を使用することは前述した通りである。この場合、蛍光体顔料は粒径が数μｍ〜数１０μｍの粉末で、概ね白または乳白色を呈する。このような蛍光体塗料の外観は、携帯時計の表示部の大きな部分に存在すると、携帯時計の外観を損ねてしまう。携帯時計は通常は明るい環境で使用されるのであり、このような環境で白、または乳白色の粒子状外観部は携帯時計の価値そのものを低下させる。図４、図７及び図８のいずれの実施例でも、蛍光体塗料はダイアルリング３の上面３ｂまたは外周面３ｃ、下面３ｄに塗布され、図１からわかるように、携帯時計の外から直接は見えない。
【００３７】
図９に本発明の別の実施例を示す。上述の実施例との相違点は、ダイアルリング内周面３ａに時字３ｅを印刷してある点である。ダイアルリング内周面３ａは時計体の外側から見えるので、この部分に時字などの時刻表示文字を印刷した。これは印刷のみでなく、凸文字の成形や文字パターンの金属箔であってもよい。このようにすると、近紫外線ＬＥＤ５をＯＮして、ダイアルリング３の内斜面３ａを発光させたとき、印刷された文字や、成形された文字が発光している内周面３ａ上に浮かび上がって見え、表示効果は一層高まるのである。
【００３８】
図９の実施例において、時字３ｅの印刷を蛍光体塗料印刷とすることも可能である。この場合の発光状態は、ダイアルリング３の内斜面３ａを通して見える背景の輝きに乗っかる形で、時字３ｅの発光が見られる。時字３ｅが発光するのは、図５で説明したとおり、近紫外線がダイアルリング３を伝播しているからである。
【００３９】
図１０は本発明の別の実施例である。ダイアルリング３の下面３ｄに蛍光体塗料を塗布する代わりに、下面３ｄに対面した文字板外周部１ａに蛍光体塗料１２を塗布する。こうした場合の近紫外線、蛍光の進む様子を示したのが図１１である。図１０で近紫外線ＬＥＤ５から発せられた近紫外線は、ダイアルリング３内に入射し、ダイアルリング内を伝播、図１１に示すある断面でダイアルリング下面３ｄから文字板１方向に出て、文字板外周部１ａの蛍光体塗料６に至る。そこから発せられた蛍光は、図１１のように、再びダイアルリング３に入射、ダイアルリング内斜面３ａから出て携帯時計の外へと進む。このことにより、ダイアルリング内斜面が輝いて照明装置となるのである。この実施例の場合、立体的なダイアルリング３に蛍光体塗料を塗布せず、フラットな文字板１の面に蛍光体塗料を塗布するので、塗布作業が容易である。当実施例における蛍光体塗料を蓄光性塗料とすれば、先述のダイアルリング３の上面３ｂに蓄光性塗料を塗布したものと同様、ＬＥＤをＯＦＦにした後もダイアルリング内周部を光り続けさせられることは言うまでもない。
【００４０】
図１２は本発明の別の実施例である。ダイアルリング３の外周面３ｃに蛍光体塗料を塗布する代わりに、フィルム８に蛍光体塗料１１を塗布した蛍光シート部材１２をダイアルリング外周に巻きつける。このようにして構成した場合は、この図に見るように、ダイアルリング３の外周部３ｃから外へ抜けた近紫外線が蛍光シート部材１２を発光させ、そこからダイアルリング内に戻ってきた光がダイアルリング下面３ｄで反射、その後内斜面３ａを抜けて携帯時計上方に進む。これにより、ダイアルリング内周面３ａが輝いて見える。この方法によれば、ダイアルリングや、文字板部品各々への蛍光体塗料の塗布が不要となり、別に製造しておいた蛍光シート部材をダイアルリング外周に巻きつけるだけで、今まで説明してきたものと同様の効果を得られる。
【００４１】
図１３のように蛍光シート部材をダイアルリング上面３ｂに載せることによって、図４の実施例と同等の効果が得られることも、もちろんである。
【００４２】
図１４は本発明の別の実施例である。この場合、文字板１は透明樹脂とする。そして、文字板１の下面１ｂに蛍光体塗料６を塗布する。文字板１の外周に透明樹脂からなるダイアルリング３を載置する。ダイアルリング３に切欠き部４を設け、そこに近紫外線ＬＥＤ５を設置する。このようにして近紫外線ＬＥＤ５をＯＮしたときの光の進む様子を示したのが図１４である。近紫外線ＬＥＤ５から出た近紫外光は、直接、文字板１内に、あるいはダイアルリング３内に入射し、各々の部品の内壁で反射を繰り返しつつ文字板１内の全般に伝播していく。この近紫外線が文字板１の下面１ｂの蛍光体塗料６を発光させることで、文字板面全体が輝くことになる。文字板１にのみ近紫外光を入射させることも可能であるが、通常文字板が０．５ｍｍ程度と薄いため、このように透明樹脂のダイアルリング３を用いることで、紫外線の入射ロスを抑制しながら、文字板内に取り込むことができる。
【００４３】
図１５は、図１２の実施例に対し、さらに文字板部のデザイン性を向上させたものである。ここでは文字板１の上面１ａに時字１ｃを印刷する。印刷でなく文字板に凸文字を形成したり、金属製のマークを取り付けたりしてもてもよい。印刷するときは、蛍光体印刷でもよい。いずれの場合も、文字板全体が蛍光体塗料６により輝き、それを背景にして、上面の時字１ｃが見えることで、文字板１のデザイン性が向上する。時字１ｃを背景と異なる色調の蛍光体印刷にすれば、なおさら文字板は美しくなる。
【００４４】
図１６と図１７は本発明の別の実施例である。図１６は同実施例の正面図で、図１７は図１６のＣ−Ｃ’断面図である。この実施例では、ダイアルリング３の切欠き部４と対応した切欠き部内周面３ｆに不透明材からなるパターン９を配置してある。切欠き部内周面３ｆ近傍は、近紫外線ＬＥＤ５を点灯した際、強い紫外線が存在し、ダイアルリング内周が一定の蛍光色に輝くことを阻害する。これを防止するために、不透明材からなるパターン９を配置するのである。これにより、ダイアルリング内周面の輝きは切欠き部４の近傍でも違和感がなく、ダイアルリング３の内周面３ａ全体の輝きは一層美しいものとなる。不透明材からなるパターン９に中抜き部９ａを持たせ、そこに蛍光体塗料を埋め込んだのが図１８である。このようにすれば、近紫外線ＬＥＤ５から漏れる強い紫外線を隠し、かつ中抜き部９ａが蛍光を発し、単なるマスキング効果以上に、ダイアルリング３の切欠き部内周面３ｆをデザイン的に豊かにできる。
【００４５】
図１９は本発明の別の実施例である。ダイアルリング３の外周３ｃに蛍光体塗料６を塗布し、貫通穴３ｇを設ける。貫通穴３ｇの下方は文字板１にも貫通穴１ｄを設けておく。その下方に蛍光体塗料１１を塗布した蛍光部材１０を配置する。この部材は日付を示す日車などである。これまでの実施例では、ダイアルリング上面３ｂは、図１にあるガラス受け面７の下にあるため見えなかったが、この実施例では、ガラス受け面７にも貫通穴７ａを設け、蛍光部材１０が覗けるようにしておく。蛍光部材１０の蛍光体塗料１１の色調は、外周３ｃの蛍光体塗料６のものと変えておく方が表現性は高くなる。この図で示すように、外周部３ｃから発せられた蛍光は反射をしながら、ダイアルリング内周から外へと出てくる。従って、この蛍光が文字板１の外周を照らす。一方、ＬＥＤから発せられた近紫外線の一部はダイアルリング３の貫通穴３ｇを抜けて、蛍光部材１０を発光させる。この発光色がガラス受け面７の貫通穴７ａから見える。こうして、文字板外周部が一定の色で照明され、ガラス受け面７の貫通穴７ａ部分は、異なった色の蛍光部材が光って見えるようになる。
【００４６】
【発明の効果】
本発明によれば、近紫外線ＬＥＤと文字板外周に配置された透明樹脂からなる導光機能を有するダイアルリングの内周以外の面に蛍光体塗料を塗布するだけで、ダイアルリング内周面を明るく煌びやかな蛍光を発する時計及び照明装置とすることができる。このことは、従来の携帯時計が、導光リングたるダイアルリングの均一な発光を目的とし、ダイアルリング外周面に乱反射を目的とした細かな凹凸加工を施し、かつ、これらの凹凸加工の密度を照明素子から遠ざかるにつれて高くしたり、あるいは単位面積あたりの発光量を維持するために、照明素子から遠いところでダイアルリング内周部面積を狭くしたりするなど、決して簡単ではない方法に頼らざるをえなかったのとは対照的である。つまり、導光リングの乱反射のために施す細かな凹凸加工が、不要とすることができる。
【００４７】
本発明においては、導光リングたるダイアルリングの外面は、すべて単純な光沢面に仕上げておくだけでよい。このようにしておくだけで充分に遠くまで蛍光体の発する蛍光により、ダイアルリング内周が輝くのである。しかも従来の技術では可視光ＬＥＤを用いているため、照明の色調が、そのＬＥＤ色調に限定されるのであるが、本発明では、蛍光体塗料を各種使用すれば、近紫外線ＬＥＤだけで、発光色はいく種類にも組み合わせることが出来る。
【００４８】
さらに、このダイアルリング内周に印刷や凸文字、蛍光体印刷を併用することで、その外観は飛躍的に美しく出来る。さらに透明な文字板とこのダイアルリングを組み合わせると、文字板の中央まで明るく輝かせることも可能である。またダイアルリングに貫通穴を設け、その下側に蛍光体を塗布した部材を設け、ダイアルリング内周部と異なる発光色を得ることで、文字板外周の輝きとダイアルリング貫通穴部の異なる色調の輝きを組み合わせることも出来、携帯時計の表示部の表現力は飛躍的に向上するのである。
【００４９】
さらに、蛍光体塗料を蓄光性塗料とすれば、近紫外線ＬＥＤを一定時間点灯後、消灯しても照明効果を持続することもできる。電池寿命をより長く保つことが重要な時計にとって、うってつけの省電力な照明装置ともなるのである。
【図面の簡単な説明】
【図１】この発明の第１の実施例を組み込んだ携帯時計の断面図である。
【図２】この発明の第１の実施例の要部を示す斜視図である。
【図３】この発明の第１の実施例の作用を示す断面図である。
【図４】この発明の第１の実施例の作用を示す断面図である。
【図５】この発明の第１の実施例の作用を説明する平面図である。
【図６】この発明の第２の実施例の要部を示す斜視図である。
【図７】この発明の第３の実施例の作用を示す断面図である。
【図８】この発明の第４の実施例の作用を示す断面図である。
【図９】この発明の第５の実施例の要部を示す斜視図である。
【図１０】この発明の第６の実施例の要部を示す斜視図である。
【図１１】この発明の第６の実施例の作用を示す断面図である。
【図１２】この発明の第７の実施例の作用を示す断面図である。
【図１３】この発明の第８の実施例の作用を示す断面図である。
【図１４】この発明の第９の実施例の作用を示す断面図である。
【図１５】この発明の第１０の実施例の要部を示す斜視図である。
【図１６】この発明の第１１の実施例の要部を示す正面図である。
【図１７】この発明の第１１の実施例の要部を示す断面図である。
【図１８】この発明の第１２の実施例の要部を示す正面図である。
【図１９】この発明の第１３の実施例の作用を示す断面図である。
【図２０】この発明に使用される蛍光体顔料の１例の輝度特性を示すグラフである。
【符号の説明】
１文字板
１ａ  上面
１ｂ下面
１ｃ時字
２時計駆動部
３  ダイアルリング
３ａ  内周面
３ｂ  上面
３ｃ  外周面
３ｄ  下面
３ｅ  時分目盛り
３ｆ  内周部分
３ｇ  貫通穴
４  切欠き部
５  近紫外線ＬＥＤ
６  蛍光体塗料
７  ガラス受け面
７ａ  貫通穴
８  フィルム
９  パターン
９ａ  中抜き部
１０  蛍光部材
１１  蛍光体塗料
１２  蛍光体シート
【図１】
2004279098.tif 000003
【図２】
2004279098.tif 000004
【図３】
2004279098.tif 000005
【図４】
2004279098.tif 000006
【図５】
2004279098.tif 000007
【図６】
2004279098.tif 000008
【図７】
2004279098.tif 000009
【図８】
2004279098.tif 000010
【図９】
2004279098.tif 000011
【図１０】
2004279098.tif 000012
【図１１】
2004279098.tif 000013
【図１２】
2004279098.tif 000014
【図１３】
2004279098.tif 000015
【図１４】
2004279098.tif 000016
【図１５】
2004279098.tif 000017
【図１６】
2004279098.tif 000018
【図１７】
2004279098.tif 000019
【図１８】
2004279098.tif 000020
【図１９】
2004279098.tif 000021
【図２０】
2004279098.tif 000022